(57)【要約】【課題】プロジェクタ装置の光源である放電灯を適切に冷却し、放電灯の輝度特性の劣化及び製品寿命の劣化を防止することで放電灯の製品寿命を延ばし、プロジェクタ装置の使用可能期間を延長させ、かつメンテナンス費用の低減を図ることにある。【解決手段】光源である放電灯と、前記放電灯が収納されるとともに、内面が鏡面加工され、かつ光照射用開口が形成されたリフレクタと、前記リフレクタ内に冷却風を送り込むための冷却ファンと、前記冷却ファンにより発生させられた冷却風を前記リフレクタ内に案内するための冷却風流入口が形成されたダクトと、前記冷却風流入口に取り付けられ冷却風を前記放電灯の上面方向に案内する冷却風案内板と、を備えていることを特徴とするプロジェクタ装置。【選択図】図３
2006091132.tif 000002
【特許請求の範囲】
【請求項１】
光源である放電灯と、
前記放電灯が収納されるとともに、内面が鏡面加工され、かつ光照射用開口が形成されたリフレクタと、
前記リフレクタ内に冷却風を送り込むための冷却ファンと、
前記冷却ファンにより発生させられた冷却風を前記リフレクタ内に案内するための冷却風流入口が形成されたダクトと、
前記冷却風流入口に取り付けられ冷却風を前記放電灯の上面方向に案内する冷却風案内板と、
を備えていることを特徴とするプロジェクタ装置。
【請求項２】
前記冷却風案内板は前記冷却風流入口に回動自在に設けられており、
前記ダクト内には前記冷却風案内板の回動範囲を規制する係止部が設けられていることを特徴とする請求項１に記載のプロジェクタ装置。
【請求項３】
前記ダクト内には、
前記冷却風案内板を前記冷却風案内板の冷却風の衝突する面の裏面側に付勢する弾性体と、
前記冷却風案内板の冷却風の衝突する面の裏面側に設けられた係止部と、
が備えられていることを特徴とする請求項１に記載のプロジェクタ装置。
【請求項４】
前記ダクト内の冷却風流入口の設けられた面の対向面に形成された開口と、
前記開口から、前記冷却風案内板と前記係止部の間に押し入れられる突起部が備えられている天井面に設置するための天吊り金具と、
が備えられていることを特徴とする請求項３に記載のプロジェクタ装置。
【請求項５】
前記冷却風案内板の先端部を受容する凹部が設けられ、かつ、前記冷却風案内板を回動させるように移動可能とされたスライドつまみを備えることを特徴とする請求項１に記載のプロジェクタ装置。
【請求項６】
前記冷却風案内板は冷却ファン側に傾斜しており、天吊り設置の場合の傾斜角度が据え置き設置の場合の傾斜角度よりも大きいことを特徴とする請求項１から請求項５のいずれか一項に記載のプロジェクタ装置。
【発明の詳細な説明】
【技術分野】
【０００１】
本発明は、プロジェクタ装置に係り、光源を適切に冷却するために冷却風を適切な方向に案内するプロジェクタ装置に関する。
【背景技術】
【０００２】
プロジェクタ装置は、光源が発する光をリフレクタ等の反射鏡を用いて集光し、プリズム、反射鏡および光 変調素子としての映像表示パネルで光学処理を行った後、投射レンズで映像を拡大し、スクリーンに投射して表示するものである。
【０００３】
ここで、光源としては、例えばメタルハイドランプ等の放電灯は一般に発光の際に高熱を発するがこの高熱により放電灯は大きな負荷を受け、その負荷により製品寿命が短くなることが知られている。そのため、従来においては、メタルハイドランプを備えたランプハウジングに軸流ファンにより冷却風を吹き付け冷却することが行われている（特許文献１参照）。
【０００４】
しかし、発熱するのはメタルハイドランプであるため、メタルハイドランプが備えられているランプハウジングに冷却風を吹き付けても必ずしも冷却効果は十分ではなかった。
【０００５】
そこで、放電灯に直接冷却風を吹き付けて冷却することが行われている。
【０００６】
図９は、その一例を表したものであり、プロジェクタ装置を図示しない床面に接地（以下「据え置き接地」という）した場合における発光部付近の側面断面図である。図示しないランプハウジング内には、半球状の内面が鏡面加工され、光を照射するための光照射用開口１１が形成されたリフレクタ１０と、リフレクタ１０の基部に設けられた放電灯収納用開口１２から発光部がリフレクタ１０内に位置するように挿入された放電灯１３からなる光源用ランプ４が収納されている。
【０００７】
光照射用開口１１の縁部には、図示しないランプハウジング内に光源用ランプ４を保持するランプ保持部材１４が備えられている。ランプ保持部材１４のリフレクタ側の開口１５には板状の防爆ガラス１９がリフレクタ側１０の開口１５を閉塞するように配設されている。
【０００８】
また、ランプ保持部材１４の下端部には、リフレクタ１０内に冷却風を送り込むためのダクト２０がランプ保持部材１４と一体に形成されて備えられている。
【０００９】
ダクト２０の上面にはリフレクタ１０内に冷却風を送り込むための冷却風流入口２１が設けられている。また、ダクト２０にはリフレクタ１０内に送る冷却風を発生させるシロッコファン７が接続されている。
【００１０】
このような構成の下において、図９に示すようにプロジェクタ装置をシロッコファン７がリフレクタ１０の下端部側に位置するように設置した場合（以下「据え置き設置」という）についてまず説明する。
【００１１】
プロジェクタ装置を駆動すると放電灯１３が点灯し、併せてシロッコファン７も駆動を開始して、冷却風Ｘが発生する。冷却風Ｘはダクト２０内を光源用ランプ４の方向に流れ、ダクト２０の光源用ランプ４側の端部に設けられた壁に衝突した後に冷却風流入口２１方向に案内される。冷却風流入口２１を通過した冷却風Ｘは、ランプ保持部材１４やリフレクタ１０の内部の上面付近に衝突した後、主に放電灯１３の上面に吹き付けられ放電灯１３を冷却する。放電灯１３に吹き付けられた冷却風Ｘはその後、放電灯収納用開口１２の間隙から軸流ファン８により吸引された後に排出される。
【００１２】
次に、プロジェクタ装置を据え置き設置の場合と天地方向で逆にして図示しない天井面に設置（以下「天吊り設置」という）した場合について説明する。
【００１３】
図１０はプロジェクタ装置を天吊り設置した場合を表したものであり、シロッコファン７はリフレクタ１０の上端部側に位置することになる。この場合もプロジェクト装置を駆動させると放電灯１３が点灯し、シロッコファン７が駆動し、光源用ランプ４方向に冷却風Ｙが発生する。冷却風Ｙは、ダクト２０の光源用ランプ４側の端部に設けられた壁に衝突した後に冷却風流入口２１方向に案内される。冷却風流入口２１を通過した冷却風Ｙは、ランプ保持部材１４やリフレクタ１０の内部の下面付近に衝突した後、主に放電灯１３の下面に吹き付けられ放電灯１３を冷却する。放電灯１３に吹き付けられた冷却風Ｙはその後、放電灯収納用開口１２の間隙から軸流ファン８により吸引された後に排出される。
【特許文献１】特開平１０−１０６３０７号公報
【発明の開示】
【発明が解決しようとする課題】
【００１４】
放電灯１３の点灯により発生する熱は空気の対流により上方に移動するため、放電灯１３の上面が下面に比較して高温になる。ここで、放電灯１３はその使用状態が据え置き設置又は天吊り設置のいずれの状態かに関わらず、その上面及び下面には過度の加熱及び冷却による劣化を防ぐため、点灯時の温度について規格値が設けられている。
【００１５】
そして、点灯により過度に加熱された放電灯を冷却風により冷却する場合には、高温となっている放電灯の上面を規格値の範囲内の温度に冷却するための風量の冷却風がリフレクタ１０に吹き付けられる。そのため、上面は規格値の範囲内の温度となるが下面は過度に冷却されて一般に規格値を下回ることが多く、放電灯の劣化の原因となっている。
【００１６】
そのため、図１０に示すように天吊り設置の場合において、冷却風Ｙが放電灯１３の下面に必要以上に吹き付けられるので下面が過度に冷却されることになる。
【００１７】
放電灯１３を点灯させると高熱が発生し、その熱は上方に対流するため放電灯１３の上面の温度が下面の温度に比較して高くなる。図９の据え置き接地の場合においては、冷却風Ｘは主に放電灯１３の上面に吹き付けられるため、高温状態の放電灯１３の上面部分を有効に冷却することができる。
【００１８】
これに対し、図１０に示す天吊り接地の場合においては、冷却風Ｙは主に放電灯１３の下面に吹き付けられることになり、高温状態の放電灯１３の上面部分を冷却することができず、かつ放電灯の下面を過度に冷却することとなる。
【００１９】
放電灯１３を冷却するに際しては、温度は高すぎて低すぎても放電灯１３は輝度特性は劣化するものであるため、製品寿命も短くなるという問題が生ずることとなる。
【００２０】
そこでは本発明は、プロジェクタ装置に用いられる光源である放電灯を適切に冷却し、放電灯の輝度特性の劣化及び製品寿命の劣化を防止することで放電灯の製品寿命を延ばし、プロジェクタ装置の使用可能期間を延長させ、かつメンテナンス費用の低減を図ることにある。
【課題を解決するための手段】
【００２１】
上記の課題を解決するため、請求項１に記載のプロジェクタ装置は、光源である放電灯と、前記放電灯が収納されるとともに、内面が鏡面加工され、かつ光照射用開口が形成されたリフレクタと、前記リフレクタ内に冷却風を送り込むための冷却ファンと、前記冷却ファンにより発生させられた冷却風を前記リフレクタ内に案内するための冷却風流入口が形成されたダクトと、前記冷却風流入口に取り付けられ冷却風を前記放電灯の上面方向に案内する冷却風案内板と、を備えていることを特徴とする。
【００２２】
請求項１に記載の発明によれば、プロジェクタ装置の設置状態に関わらず、冷却風案内板により冷却風を主に放電灯の上面に案内することができる。
【００２３】
請求項２に記載の発明は、請求項１に記載のプロジェクタ装置において、前記冷却風案内板は前記冷却風流入口に回動自在に設けられており、前記ダクト内には前記冷却風案内板の回動範囲を規制する係止部が設けられていることを特徴とする。
【００２４】
請求項２に記載の発明によれば、前記冷却風案内板は回動自在となっており、天吊り設置した場合には、冷却風案内板が据え置き設置された場合に比較して冷却ファン側に傾斜するので、プロジェクタ装置を据え置き設置した場合及び天吊り設置した場合のいずれの場合においても冷却風を放電灯の上面に案内することができる。
【００２５】
請求項３に記載の発明は、請求項１に記載のプロジェクタ装置において、前記ダクト内には、前記冷却風案内板を前記冷却風案内板の冷却風の衝突する面の裏面側に付勢する弾性体と、前記冷却風案内板の冷却風の衝突する面の裏面側に設けられた係止部と、が備えられていることを特徴とする。
【００２６】
請求項３に記載の発明によれば、据え置き設置の場合においては冷却風案内板を弾性体により係止部の方向に付勢しているので、冷却風案内板が係止部方向に付勢されていない場合と比較して冷却風案内板が冷却風によってがたつくことは無く、冷却風を安定して放電灯の上面に案内することができる。
【００２７】
請求項４に記載の発明は、請求項３に記載のプロジェクタ装置において、前記ダクト内の冷却風流入口の設けられた面の対向面に形成された開口と、前記開口から、前記冷却風案内板と前記係止部の間に押し入れられる突起部が備えられている天井面に設置するための天吊り金具と、が備えられていることを特徴とする。
【００２８】
請求項４に記載の発明によれば、天吊り設置の場合においては、据え置き設置の場合と比較して冷却風案内板は天吊り金具に備えられた突起部に冷却ファンの方向に傾斜させられるので、天吊り設置の場合においても、冷却風案内板は冷却風を放電灯の上面に案内することができる。
【００２９】
また請求項４に記載の発明によれば、冷却風を安定して放電灯の上面に案内することができる。
【００３０】
請求項５に記載の発明は、請求項１に記載のプロジェクタ装置において、前記冷却風案内板の先端部を受容する凹部が設けられ、かつ、前記冷却風案内板を回動させるように移動可能とされたスライドつまみを備えることを特徴とする。
【００３１】
請求項５に記載の発明によれば、スライドつまみを調節することで冷却風案内板の傾斜角度を調節することできるので、据え置き設置した場合及び天吊り設置した場合のいずれの場合においても冷却風案内板の傾斜角度を冷却風を放電灯の上面に案内できる角度に形成することができる。
【００３２】
請求項６に記載の発明は、請求項１から請求項５のいずれか一項に記載のプロジェクタ装置において、前記冷却風案内板は冷却ファン側に傾斜しており、天吊り設置の場合の傾斜角度が据え置き設置の場合の傾斜角度よりも大きいことを特徴とする。
【００３３】
かかる傾斜角度とすることでいずれの設置状態の場合においても、冷却風を放電灯の上面に吹き付けることが可能となる。
【発明の効果】
【００３４】
請求項１に記載の発明によれば、プロジェクタ装置の設置状態に関わらず、冷却風を主に放電灯の上面に吹き付けることができるため、放電灯の下部が過度に冷却されることを防ぎつつ放電灯を効率的に冷却して、点灯時における放電灯の上面及び下面の温度を規格値を範囲内に収めることができる。そのため、放電灯の輝度特性の劣化及び製品寿命の劣化を防ぎつつ、放電灯の製品寿命を延ばし、プロジェクタ装置の使用可能期間を延長させ、かつメンテナンス費用の低減を図ることができる。
【００３５】
請求項２に記載の発明によれば、回動自在に設けられた冷却風案内板が据え置き設置及び天吊り設置のいずれの場合においても係止部により冷却風を放電灯の上面に案内できる角度で回動を規制されているため、冷却風はいずれの設置状態においても放電灯の上面に吹き付けられ、放電灯の下面が過度に冷却されるのを防止しつつ放電灯を効率的に冷却することができる。
【００３６】
請求項３に記載の発明によれば、据え置き設置の場合において安定して放電灯の上面に冷却風を吹き付けることが可能であり、放電灯を効率的に冷却することができる。
【００３７】
請求項４に記載の発明によれば、天吊り設置の場合においても安定して放電灯の上面に吹き付けることができ、放電灯を効率的に冷却することができる。
【００３８】
請求項５に記載の発明によれば、スライドつまみを調整することで据え置き設置の場合及び天吊り設置の場合のいずれの場合においても冷却風を放電灯の上部に安定して吹き付けて効率的に冷却することができる。
【００３９】
請求項６に記載の発明によれば、いずれの設置状態の場合においても冷却風を放電灯の上面に吹き付けて効率的に冷却することができる。
【発明を実施するための最良の形態】
【００４０】
以下に本発明の第１の実施の形態について図面を参照して説明する。ただし、発明の範囲は図示例に限定されない。
【００４１】
図１はプロジェクタ装置１の上面断面図であり、図２はプロジェクタ装置１の側面断面図である。
【００４２】
プロジェクタ装置１には、ケース２が備えられ、その内部に電源が取り付けられたプロジェクタ装置１全体を制御する電源基板３が備えられている。そして、この電源基板３により制御される光源用ランプ４がケース２内の中央部付近に備えられ、光源用ランプ４から発せられた光の進行方向にはその光をＲＧＢの各色に変換するカラーホイール５が配置されている。カラーホイール５を透過した光の進行方向には画像を投影するためのレンズユニット６が配置されている。また、プロジェクタ装置１には光源用ランプ４を冷却するために光源用ランプ４内に冷却風を流し込むシロッコファン７とシロッコファン７により光源用ランプ４内に流し込まれた風をプロジェクタ装置１内から排出するための軸流ファン８が備えられている。
【００４３】
図３は、プロジェクタ装置１を据え置き状態に接地した場合の光源用ランプ４付近の概略側面断面図である。図示しないランプハウジング内には光源用ランプ４が収納されており、光源用ランプ４にはリフレクタ１０が備えられている。リフレクタ１０のカラーホイール５側には光照射用開口１１が備えられており、リフレクタ１０は半球状で内面に鏡面加工が施されている。また、リフレクタ１０の基部には放電灯収納用開口１２が備えられており、放電灯収納用開口１２から発光部がリフレクタ１０内に位置するように放電灯１３が収納されている。
【００４４】
光照射用開口１１には図示しないランプハウジング内に光源用ランプ４を保持するため、光照射用開口１１の縁の外周面を覆うようにランプ保持部材１４が取り付けられている。ランプ保持部材１４のリフレクタ１０側の開口１５の内周縁には、内方に突出する突出部１６が一体に形成されている。そして、ランプ保持部材１４のリフレクタ１０側の開口１５には板状の防爆ガラス１９がランプ保持部材１４のリフレクタ１０側の開口１５を閉塞するように配設されている。防爆ガラス１９は放電灯１３が破裂等して破損した時に発生する爆風や破片が飛散する破片によっても破壊されない程度の強度を有し、かつ光源用ランプ４から発射される光を透過させる性質を有する材料により形成されている。
【００４５】
また、ランプ保持部材１４の下端部には両端部が開放され、かつランプ保持部材１４と一体に形成されたリフレクタ１０内に冷却風を送り込むためのダクト２０が設けられている。ダクト２０の上面には冷却風をリフレクタ１０内に送り込むための冷却風流入口２１が設けられている。この冷却風流入口２１の軸流ファン８側には冷却風案内板２２が回動自在に設けられている。ダクト２０内面においては、冷却風案内板２２の冷却風の衝突する面の裏面側に冷却風案内板２２の回動範囲を規制する係止部２３が設けられている。係止部２３は突起２４，２５からなる。係止部２３を形成する突起２４は冷却風案内板２２をカラーホイール５側に傾斜した状態で係止させて回動を規制する位置に配置されており、突起２５は突起２４よりも冷却風案内板２２をさらにカラーホイール５側で回動を規制するように配置されている。このように、冷却風案内板２２をカラーホイール５側に傾斜した状態で係止させ、シロッコファン７から送風されてくる冷却風を放電灯１３の上方のリフレクタ１０の壁面に案内することができるようになっている。
【００４６】
係止部２３は、軸流ファン８側への冷却風案内板２２の回動を規制することができるものであれば、ダクト２０内のいずれの場所であってもよい。また、係止部２３を形成する突起２４と突起２５の位置関係についても制限はない。
【００４７】
そして、ダクト２０のレンズユニット６側の端部にはリフレクタ１０内に備えられて放電灯１３を冷却するためのシロッコファン７が連結されており、シロッコファン７には給気を行うための給気口２６が設けられている。
【００４８】
なお、本発明で放電灯１３を冷却するために用いる冷却ファンはシロッコファン７に限定されることは無く、放電灯１３を適切に冷却することが可能であり、プロジェクタ装置１内に収納できる大きさのものであればその種類に制限はない。
【００４９】
次に、第一の実施の形態の作用について説明する。
【００５０】
まず、プロジェクタ装置１を据え置き状態にした場合について図３を参照して説明する。
【００５１】
プロジェクタ装置１を駆動させると放電灯１３を点灯し、放電灯１３から発射された光はリフレクタ１０内において集光され、防爆ガラス１９を透過してカラーホイール５に照射される。カラーホイール５によりＲＧＢの光に変換された光はレンズユニット６に照射される。そして、レンズユニット６からスクリーン等に映像が照射される。
【００５２】
また、放電灯１３の発光と同時にシロッコファン７も駆動を開始し、給気口２６から吸気した後にダクト２０内に冷却風Ａを送風する。
【００５３】
ダクト２０内に送り出された冷却風Ａはダクト２０内を流れ、係止部２３の突起２４に回動を規制されている冷却風案内板２２に衝突し、冷却風流入口２１側に案内される。
【００５４】
冷却風流入口２１を通過した冷却風Ａはランプ保持部材１４やリフレクタ１０の内部の上面付近に衝突した後に放電灯１３の上面に吹き付けられ放電灯１３の上面を主に冷却する。放電灯１３を冷却して熱を持った冷却風は軸流ファン８により放電灯収納用開口１２から吸引されたのちプロジェクタ装置１の外部に排気される。
【００５５】
次に、プロジェクタ装置１を天吊り接地した場合について図４を参照して説明する。前述の据え置き接地した状態と同様にプロジェクタ装置１を駆動させると放電灯１３等の他にシロッコファン７も駆動を開始し、給気口２６から吸気した後にダクト２０内に冷却風Ｂを送風する。
【００５６】
シロッコファン７からダクト２０内に送り出された冷却風Ｂはダクト２０内を流れて冷却風案内板２２に衝突する。ここで冷却風案内板２２は据え置き設置の状態から天吊り設置の状態にするに際して自重により回動し、係止部２３の突起２５により係止される。よって、突起２４により係止されている場合よりもカラーホイール５側に傾斜した状態で係止されることとなる。
【００５７】
そのため、冷却風Ｂは主に放電灯１３の上面の方向に案内される。そして、放電灯１３に吹き付けられた冷却風Ｂは放電灯１３の上面を主に冷却する。放電灯１３を冷却して熱を持った冷却風Ｂは軸流ファン８により放電灯収納用開口１２から吸引されたのちプロジェクタ装置１の外部に排気される。
【００５８】
これを、冷却風案内板が設けられていないプロジェクタ装置と比較する。ここで用いる放電灯１３の上面の規格値の最高温度は１０３０℃以下であり、下面の規格値は９００℃±２０℃の範囲である。
【００５９】
冷却風案内板が設けられていないプロジェクタ装置１について図９に示すように据え置き設置した場合に駆動させると、放電灯１３の上面の温度は９８０．７℃、下面の温度は９１５．５℃となり、いずれも規格値の範囲内だった。しかし、図１０に示すように天吊り設置の場合には、放電灯１３の上面の温度は１０９１．４℃、下面の温度は８６４．３℃となった。このように、冷却風案内板が設けられていない図９及び図１０に示す従来のプロジェクタ装置１は天吊り設置の場合において規格値を満たすものでない。
【００６０】
これに対して、冷却風案内板２２が設けられている本実施の形態にかかるプロジェクタ装置１について図３に示すように据え置き設置した場合に駆動させると、放電灯１３の上面の温度は９８０．７℃、下面の温度は９１５．５℃となり、いずれも規格値の範囲内だった。そして、図４に示す天吊り設置の場合においては、放電灯１３の上面の温度は１００４．０℃、下面の温度は８９５．０℃となった。このように冷却風案内板２２が設けられた本実施の形態にかかるプロジェクタ装置１は据え置き設置の場合も天吊り設置の場合においても放電灯の規格値を満たすことが明らかであり、放電灯１３を効果的に冷却できることが明らかである。
【００６１】
以上のように本第一の実施形態にかかる発明によれば、プロジェクタ装置１の設置状態に関わらず、冷却風を主に放電灯１３の上面に吹き付けて、放電灯１３の下部が過度に冷却されることを防ぐことができる。
【００６２】
そして、放電灯１３を効率的に冷却して、点灯時における放電灯１３の上面及び下面の温度を規格値を範囲内に収めて、放電灯の輝度特性の劣化及び製品寿命の劣化を防ぎつつ、放電灯の製品寿命を延ばし、プロジェクタ装置１の使用可能期間を延長させ、かつメンテナンス費用の低減を図ることができる。
【００６３】
次に本発明の第二の実施形態について説明する。ただし、本第二の実施形態は前述の第１の実施形態と異なる点のみについて説明を行い、前述の第一の実施形態と同様の構成については説明を省略する。
【００６４】
図５に示すように、プロジェクタ装置の冷却風流入口２１のランプ側の縁部には板状の冷却風案内板２２が回動自在に設けられており、ダクト２０内の冷却風流入口２１の設けられた面の対向面には冷却風案内板２２の軸流ファン８側への回動を規制する突起である係止部２９が設けられている。また、ダクト２０内において係止部２９よりさらに軸流ファン８側には弾性体の一端を掛けるための弾性体保持部３０が設けられている。この弾性体保持部３０にはバネ３１の一端が掛けられ、バネ３１の他端は冷却風案内板２２に取り付けられ冷却風案内板２２は軸流ファン８方向に付勢されている。そしてこの場合においても、冷却風案内板２２はカラーホイール５側に傾斜した状態で係止され、シロッコファン７から送風されてくる冷却風を放電灯１３の上方のリフレクタ１０の壁面に案内するようになっている。
【００６５】
なお、本実施の形態においては弾性体としてバネを用いているが冷却風案内板２２を付勢して係止部２９に押圧できる弾性体であれば、例えばゴム等であってもよい。
【００６６】
また、図６に示すようにダクト２０内の冷却風流入口２１の設けられた面の対向面には突起物挿入口３２が設けられている。そして、プロジェクタ装置のケース３３にも突起物挿入口３２に貫通するように突起物挿入口３４が設けられている。なお、図示しないランプハウジングにもケースに設けられた突起物挿入口３４からダクト２０に設けられた突起物挿入口３２まで後述する突起物４０が貫通するように突起物挿入口が設けられている。
【００６７】
このプロジェクタ装置を天吊り設置する場合には、例えば、図６に示すように、天井面３５には天吊り金具３６がねじ３９，３９・・・によりねじ止めされている。そして、天吊り金具３６にプロジェクタ装置のケースがねじ３９，３９・・・によりねじ止めされ、天吊り設置されている。
【００６８】
そして、天吊り金具３６には突起物挿入口３４及び突起物挿入口３２に挿入される突起物４０が備えられている。
【００６９】
次に、本実施の形態の作用について説明する。まず、プロジェクタ装置を据え置き状態にした場合について図５を参照して説明する。
【００７０】
第一の実施形態の場合と同様にプロジェクタ装置を駆動させると放電灯１３等の他にシロッコファン７も駆動を開始し、給気口２６から吸気した後にダクト２０内に冷却風Ｃを送風する。
【００７１】
シロッコファン７からダクト２０内に送り出された冷却風Ｃはダクト２０内を流れて冷却風案内板２２に衝突し、冷却風流入口２１側に案内される。
【００７２】
冷却風流入口２１を通過した冷却風Ｃはランプ保持部材１４やリフレクタ１０の内部の上面付近に衝突した後に放電灯１３の上面に吹き付けられ放電灯１３の上面を主に冷却する。放電灯１３を冷却して熱を持った冷却風は軸流ファン８により放電灯収納用開口１２から吸引されたのちプロジェクタ装置の外部に排気される。
【００７３】
次に、プロジェクタ装置を天吊り接地した場合について図６を参照して説明する。この場合もプロジェクタ装置を駆動させると放電灯１３等の他にシロッコファン７も駆動を開始し、給気口２６から吸気した後にダクト２０内に冷却風Ｄを送風する。
【００７４】
シロッコファン７からダクト２０内に送り出された冷却風Ｄはダクト２０内を流れて冷却風案内板２２に衝突する。ここで、天吊り設置の場合には、突起物挿入口３４及び突起物挿入口３２から挿入された天吊り金具３６に備えられた突起物の端部がダクト２０内に挿入され冷却風案内板２２と冷却風案内板２２が押圧されている３０の間に突起物４０の端部が挿入されている。そのため、冷却風案内板２２は突起物４０によりカラーホイール５側に押されて、突起物４０が挿入されていない場合に比較してカラーホイール５側に傾斜させられる。
【００７５】
これにより、シロッコファン７から送風されてきた冷却風Ｄは主に放電灯１３の上面の方向に案内されることとなる。そして、放電灯１３に吹き付けられた冷却風Ｄは放電灯１３を冷却する。放電灯１３を冷却して熱を持った冷却風Ｄは軸流ファン８により放電灯収納用開口１２から吸引されたのちプロジェクタ装置の外部に排気される。
【００７６】
このように、本第二の実施形態にかかる発明によれば、冷却風案内板２２を安定させて放電灯１３を効率的に冷却することが可能となる。
【００７７】
次に本発明の第三の実施形態について説明する。ただし、本第３の実施形態は前述の第１の実施形態と異なる点のみについて説明を行い、前述の第一の実施形態と同様の構成については説明を省略する。
【００７８】
図７に示すように、プロジェクタ装置の冷却風流入口２１の軸流ファン８側の縁部には板状の冷却風案内板２２が回動自在に設けられている。図示しないプロジェクタ装置のケース４１には冷却風流入口２１に貫通するようにスリット４２が設けられている。スリット４２には、スリット４２に沿って移動する先端部に凹部が設けられたスライドつまみ４３が取り付けられている。このスライドつまみ４３の先端部はプロジェクタ装置の内部に位置し、凹部には冷却風案内板２２の先端が受容されている。スライドつまみ４３の凹部は受容している冷却風案内板２２の幅よりも広く形成されており、スライドつまみ４３が移動することにより冷却風案内板２２は所定の範囲内において回動できるようになっている。そして、冷却風案内板２２はカラーホイール５側に傾斜した状態とされている。
【００７９】
なお、図示しないランプハウジングにはスライドつまみ４３の先端部が冷却風案内板２２を受容し、スライドつまみ４３がスリット４２に沿って移動できるようにスリット又は開口が設けられている。
【００８０】
次に、本実施の形態の作用について説明する。まず、プロジェクタ装置を据え置き状態にした場合について図７を参照して説明する。
【００８１】
第一の実施形態の場合と同様にプロジェクタ装置を駆動させると放電灯１３等の他にシロッコファン７も駆動を開始し、給気口から吸気した後にダクト２０内に冷却風Ｅを送風する。
【００８２】
シロッコファン７からダクト２０内に送り出された冷却風Ｅはダクト２０内を流れて冷却風案内板２２に衝突し、冷却風流入口２１側に案内される。
【００８３】
冷却風流入口２１を通過した冷却風Ｅはランプ保持部材１４やリフレクタ１０の内部の上面付近に衝突した後に放電灯１３の上面に吹き付けられ放電灯１３の上面を主に冷却する。放電灯１３を冷却して熱を持った冷却風は軸流ファン８により放電灯収納用開口１２から吸引されたのちプロジェクタ装置の外部に排気される。
【００８４】
次に、プロジェクタ装置を天吊り接地した場合について図８を参照して説明する。この場合もプロジェクタ装置を駆動させると放電灯１３等の他にシロッコファン７も駆動を開始し、給気口２６から吸気した後にダクト２０内に冷却風Ｆを送風する。シロッコファン７からダクト２０内に送り出された冷却風Ｆはダクト２０内を流れて冷却風案内板２２に衝突する。図８に示すように天吊り設置の場合にはスライドつまみ４３を据え置き設置の場合に比較してスライドつまみ４３をカラーホイール５側に移動させ、冷却風案内板２２をカラーホイール側により傾斜させる。そのため、冷却風Ｆは主に放電灯１３の上面の方向に案内される。そして、放電灯１３に吹き付けられた冷却風Ｆは放電灯１３を冷却する。放電灯１３を冷却して熱を持った冷却風Ｆは軸流ファン８により放電灯収納用開口１２から吸引されたのちプロジェクタ装置の外部に排気される。
【００８５】
以上のように本第三の実施形態にかかる発明によれば、スライドつまみ４３を調整して据え置き設置の場合及び天吊り設置の場合のいずれの場合においても冷却風を放電灯１３の上部に安定して吹き付けて効率的に冷却することができる。
【図面の簡単な説明】
【００８６】
【図１】第一の実施形態にかかるプロジェクタ装置の上面断面図である。
【図２】第一の実施形態にかかるプロジェクタ装置の側面断面図である。
【図３】第一の実施形態にかかるプロジェクタ装置を据え置き設置した場合の光源用ランプ付近の側面断面図である。
【図４】第一の実施形態にかかるプロジェクタ装置を天吊り設置した場合の光源用ランプ付近の側面断面図である。
【図５】第二の実施形態にかかるプロジェクタ装置を据え置き設置した場合の光源用ランプ付近の側面断面図である。
【図６】第二の実施形態にかかるプロジェクタ装置を天吊り設置した場合の光源用ランプ付近の側面断面図である。
【図７】第三の実施形態にかかるプロジェクタ装置を据え置き設置した場合の光源用ランプ付近の側面断面図である。
【図８】第三の実施形態にかかるプロジェクタ装置を天吊り設置した場合の光源用ランプ付近の側面断面図である。
【図９】従来のプロジェクタ装置を据え置き設置した場合の光源用ランプ付近の側面断面図である。
【図１０】従来のプロジェクタ装置を天吊り設置した場合の光源用ランプ付近の側面断面図である。
【符号の説明】
【００８７】
１     プロジェクタ装置
４     ランプ
７     シロッコファン
１０   リフレクタ
１１   光照射用開口
１２   放電灯収納用開口
１３   放電灯
２０   ダクト
２１   冷却風流入口
２２   冷却風案内板
２３   係止部
２９   係止部
３０   弾性体保持部
３１   バネ
３２   突起物挿入口
３６   天吊り金具
４０   突起物
【図１】
2006091132.tif 000003
【図２】
2006091132.tif 000004
【図３】
2006091132.tif 000005
【図４】
2006091132.tif 000006
【図５】
2006091132.tif 000007
【図６】
2006091132.tif 000008
【図７】
2006091132.tif 000009
【図８】
2006091132.tif 000010
【図９】
2006091132.tif 000011
【図１０】
2006091132.tif 000012